(57)【要約】【課題】特定周波数の電波のみを吸収、遮断し、他の周波数の電波は遮断するため、その特定の周波数を用いた通信に適した環境をもたらす薄型の電波給醜態又は電磁波吸収能を有する建材を提供すること。【解決手段】特定パターンからなる電磁波透過開口部４を有する導電体層２と、電磁波透過開口部４の端部と電気的に結合する抵抗体３とを備えることを特徴とする電波吸収体１。又は、この電波吸収体１を、室内側の面に備えた壁等の電場吸収能を有する建材。【選択図】図１
2004119565.tif 000002
【特許請求の範囲】
【請求項１】
特定パターンからなる電磁波透過開口部を有する導電体層と、電磁波透過開口部の端部と電気的に結合する抵抗体とを備えることを特徴とする電波吸収体。
【請求項２】
基材と、基材上に特定パターンからなる電磁波透過開口部を有する導電体層と、電磁波透過開口部の端部と電気的に結合する抵抗体とを備えることを特徴とする電波吸収体。
【請求項３】
基材が、プラスチックフィルムであることを特徴とする請求項２に記載の電波吸収体。
【請求項４】
特定パターンからなる電磁波透過開口部を有する金属板と、電磁波透過開口部の端部と電気的に結合する抵抗体とを備えることを特徴とする電波吸収体。
【請求項５】
電磁波透過開口部が不連続であることを特徴とする請求項１〜４の何れか１項に記載の電波吸収体。
【請求項６】
建材の室内側の面に、請求項１〜５の何れか１項に記載の電波吸収体を備えることを特徴とする電波吸収能を有する建材。
【請求項７】
建材の室内側及び室外側の両面に、請求項１〜５の何れか１項に記載の電波吸収体を備えることを特徴とする電波吸収能を有する建材。
【請求項８】
建材の構成材に、電磁波損失材が混入していることを特徴とする請求項６又は７に記載の電波吸収能を有する建材。
【請求項９】
建材の室内側の面に、特定パターンからなる電磁波透過開口部を有する導電体層を備え、建材の構成材に、電磁波損失材が混入していることを特徴とする電波吸収能を有する建材。
【請求項１０】
建材の室内側及び室外側の両面に、特定パターンからなる電磁波透過開口部を有する導電体層を備え、建材の構成材に、電磁波損失材が混入していることを特徴とする電波吸収能を有する建材。
【請求項１１】
電磁波損失材が誘電損失材であることを特徴とする請求項８〜１０の何れか１項に記載の電波吸収能を有する建材。
【請求項１２】
電磁波損失材が磁性損失材であることを特徴とする請求項８〜１０の何れか１項に記載の電波吸収能を有する建材。
【請求項１３】
電磁波透過開口部が不連続であることを特徴とする請求項６〜１２の何れか１項に記載の電波吸収能を有する建材。
【請求項１４】
電磁シールド窓を有することを特徴とする請求項６〜１３の何れか１項に記載の電波吸収能を有する建材。
【請求項１５】
建材が壁であることを特徴とする請求項６〜１４の何れか１項に記載の電波吸収能を有する建材。
【請求項１６】
建材が可動式の壁であることを特徴とする請求項６〜１４の何れか１項に記載の電波吸収能を有する建材。
【請求項１７】
建材が床であることを特徴とする請求項６〜１４の何れか１項に記載の電波吸収能を有する建材。
【請求項１８】
建材が天井であることを特徴とする請求項６〜１４の何れか１項に記載の電波吸収能を有する建材。
【請求項１９】
建材がドアであることを特徴とする請求項６〜１４の何れか１項に記載の電波吸収能を有する建材。
【発明の詳細な説明】
【０００１】
【発明の属する技術分野】
本発明は、電波吸収体及び電波吸収能を有する建材に関し、特に無線機器を使用しているオフィス等の部屋に好適に利用できるものである。
【０００２】
【従来の技術】
【特許文献１】
特公平６−９９９７２号公報
【特許文献２】
特開平１０−１６９０３９号公報
【特許文献３】
特開平９−１６２５８９号公報
【特許文献４】
特開平５−３３５８３２号公報
【０００３】
近年、事業所内ＰＨＳや無線ＬＡＮの利用が広がりを見せるなか、情報の漏洩防止や外部からの侵入電波による誤動作やノイズ防止といった点から、オフィス内での電波環境を整えることが不可欠になっており、そのような電波環境の整備用建材として、既に種々のタイプのものが提案されている。
【０００４】
例えば、特公平６−９９９７２号公報には、金属やフェライトなどの電磁シ−ルド建材をビルの躯体に付加することで、広い周波数帯域で任意の周波数の電波を使って情報通信が出来る電磁シ−ルド・インテルジェントビルを提供することが述べられている。しかし、このような鉄板、金属網、金属メッシュ、金属箔などの電波反射体やフェライトなどの電波吸収体を電磁シ−ルド建材として用いたものでは、それらの電磁シ−ルド性に周波数選択性が無いため、遮蔽しようとする周波数以外の電波まで遮蔽してしまう。また前記電波反射体はテレビ電波を反射し、受信障害（ゴ−ストの発生）の原因となるため用いることが出来る箇所が制限される。さらに、電磁シ−ルド建材間の隙間によってシ−ルド性能が大きく低下するため、個々の建材が持つシ−ルド性能を十分発揮させるには、建材間の接続や接地など施工面での厳密性が要求される。
【０００５】
特開平１０−１６９０３９号公報は、このような問題点を解消するもので、線状のアンテナ素子を定期的に配列させることで遮蔽しようとする特定周波数の電波のみを遮蔽し、建材間の接続や接地も必要ないという優れたものである。しかし、その遮蔽は反射損失によるものが大部分であるため、オフィス内部において反射電波による画面の揺らぎや誤動作などが起こる場合があるのが問題である。
【０００６】
特開平９−１６２５８９号公報や特開平５−３３５８３２号公報の発明は、共にこのようなオフィス内部における電波反射に起因する問題を解消するもの、即ち特定周波数の電波を選択的に吸収するものであり、特開平９−１６２５８９号公報の発明は、導電体より大きく絶縁体より小さい電気抵抗値を持つエレメントを配列させて特定周波数（以上）の電波を吸収するもの、特開平５−３３５８３２号公報の発明は、抵抗皮膜と電波反射体とを誘電体厚さがこの誘電体内における電波波長の４分の１）を挟んで配置し特定周波数の電波のみを選択的に吸収する、いわゆるλ／４型電波吸収体に関するものである。
【０００７】
しかし、これらの電波吸収体にもそれぞれ以下に述べるような欠点がある。即ち前者は電波の照射によってエレメント内を流れる交流電流の抵抗損失によるものであるため、微小な体積のエレメントでは、遮蔽しようとする周波数の電波においても実際的には透過が多くなり吸収可能な電波量は僅少になる。また後者は吸収量が前者に比して大きく、周波数選択性にも優れるが、この場合には吸収する周波数が低くなるにつれて誘電体の厚みが厚くなり、吸収体全体の厚みが厚くなるという問題がある。
【０００８】
【発明が解決しようとする課題】
本願出願人は、λ／４型電波吸収体の反射板と吸収膜の間に位相調整層をもうけ吸収体を薄型化する事を出願（特願２００１−２６２０７７）しているが、この吸収体においても誘電体の厚みが必要なためフィルム状に形成することは難しい。
【０００９】
また電波吸収体をフィルム状に形成できたとしても、実際の施工等を考えた場合には壁の表面には壁紙等が貼られることが多く、その下にフィルム等を貼るのが困難な場合も多い。
【００１０】
本発明は、電波吸収体の上記のような問題を解決することを目的としてなされたもので、特定周波数の電波のみを吸収、遮断し、他の周波数の電波は遮断するため、その特定の周波数を用いた通信に適した環境をもたらす薄型の電波吸収体又は電磁波吸収能を有する建材を提供することを課題とする。
【００１１】
【課題を解決するための手段】
本発明において上記の課題を達成するために、まず請求項１の発明では、特定パターンからなる電磁波透過開口部を有する導電体層と、電磁波透過開口部の端部と電気的に結合する抵抗体とを備えることを特徴とする電波吸収体としたものである。
【００１２】
また請求項２の発明では、基材と、基材上に特定パターンからなる電磁波透過開口部を有する導電体層と、電磁波透過開口部の端部と電気的に結合する抵抗体とを備えることを特徴とする電波吸収体としたものである。
【００１３】
また請求項３の発明では、基材が、プラスチックフィルムであることを特徴とする請求項２に記載の電波吸収体としたものである。
【００１４】
また請求項４の発明では、特定パターンからなる電磁波透過開口部を有する金属板と、電磁波透過開口部の端部と電気的に結合する抵抗体とを備えることを特徴とする電波吸収体としたものである。
【００１５】
また請求項５の発明では、電磁波透過開口部が不連続であることを特徴とする請求項１〜４の何れか１項に記載の電波吸収体としたものである。
【００１６】
また請求項６の発明では、建材の室内側の面に、請求項１〜５の何れか１項に記載の電波吸収体を備えることを特徴とする電波吸収能を有する建材としたものである。
【００１７】
また請求項７の発明では、建材の室内側及び室外側の両面に、請求項１〜５の何れか１項に記載の電波吸収体を備えることを特徴とする電波吸収能を有する建材としたものである。
【００１８】
また請求項８の発明では、建材の構成材に、電磁波損失材が混入していることを特徴とする請求項６又は７に記載の電波吸収能を有する建材としたものである。
【００１９】
また請求項９の発明では、建材の室内側の面に、特定パターンからなる電磁波透過開口部を有する導電体層を備え、建材の構成材に、電磁波損失材が混入していることを特徴とする電波吸収能を有する建材としたものである。
【００２０】
また請求項１０の発明では、建材の室内側及び室外側の両面に、特定パターンからなる電磁波透過開口部を有する導電体層を備え、建材の構成材に、電磁波損失材が混入していることを特徴とする電波吸収能を有する建材としたものである。
【００２１】
また請求項１１の発明では、電磁波損失材が誘電損失材であることを特徴とする請求項８〜１０の何れか１項に記載の電波吸収能を有する建材としたものである。
【００２２】
また請求項１２の発明では、電磁波損失材が磁性損失材であることを特徴とする請求項８〜１０の何れか１項に記載の電波吸収能を有する建材としたものであある。
【００２３】
また請求項１３の発明では、電磁波透過開口部が不連続であることを特徴とする請求項６〜１２の何れか１項に記載の電波吸収能を有する建材としたものである。
【００２４】
また請求項１４の発明では、電磁シールド窓を有することを特徴とする請求項６〜１３の何れか１項に記載の電波吸収能を有する建材としたものである。
【００２５】
また請求項１５の発明では、建材が壁であることを特徴とする請求項６〜１４の何れか１項に記載の電波吸収能を有する建材としたものである。
【００２６】
また請求項１６の発明では、建材が可動式の壁であることを特徴とする請求項６〜１４の何れか１項に記載の電波吸収能を有する建材としたものである。
【００２７】
また請求項１７の発明では、建材が床であることを特徴とする請求項６〜１４の何れか１項に記載の電波吸収能を有する建材としたものである。
【００２８】
また請求項１８の発明では、建材が天井であることを特徴とする請求項６〜１４の何れか１項に記載の電波吸収能を有する建材としたものである。
【００２９】
また請求項１９の発明では、建材がドアであることを特徴とする請求項６〜１４の何れか１項に記載の電波吸収能を有する建材としたものである。
【００３０】
【発明の実施の形態】
以下、本発明の実施形態を詳細に説明する。
【００３１】
図１に、導電体層２上に特定パターンからなる電磁波透過開口部４を設け、電磁波透過開口部４の端部と接触して電気的に結合するように抵抗体３を設けた電波吸収体１を示す。
【００３２】
図２に、プラスチックフィルム（誘電体基材５）上に導電体層２を設け、導電体層２上に特定パターンからなる電磁波透過開口部４を設け、電磁波透過開口部４の端部と接触して電気的に結合するように抵抗体３を設けた電波吸収体１を示す。
【００３３】
図３に、プラスチックフィルム（誘電体基材５）上に導電体層２を設け、導電体層２上に特定パターンからなる電磁波透過開口部４を設け、誘電体基材５を介し電磁波透過開口部４の端部とコンデンサを形成して電気的に結合するように抵抗体３を設けた電波吸収体１を示す。
【００３４】
図４に、導電体層２上に特定パターンからなる電磁波透過開口部４を設け、電磁波透過開口部４の端部と接触して電気的に結合するように抵抗体３を設けた電波吸収体１を、壁構成材７の室内側の面に設けた電波吸収能を有する壁を示す。
【００３５】
図５に、基材８上に導電体層２を設け、導電体層２上に特定パターンからなる電磁波透過開口部４を設け、電磁波透過開口部４の端部と接触して電気的に結合するように抵抗体３を設けた電波吸収体１を、壁構成材７の室内側の面に設けた電波吸収能を有する壁を示す。
【００３６】
図６に、基材８上に抵抗体３を設け、抵抗体３上に導電体層２を設け、特定パターンからなる電磁波透過開口部４を、その端部が抵抗体３に接触して電気的に結合するように導電体層２に設けられた電波吸収体１を、壁構成材７の室内側の面に設けた電波吸収能を有する壁を示す。
【００３７】
図７に、導電体層２上に特定パターンからなる電磁波透過開口部４を設けた特定電波透過体６を、電磁波損失材を混入させた壁構成材９の室内側の面に設けた電波吸収能を有する壁を示す。
【００３８】
電波が到来している場所に、接地されていない金属棒や金属ワイヤ−などの導体を置いた場合、一部の電波は吸収され、他は導体中を流れる交番電流が作る電磁界との相互作用によって反射される。この時電波の吸収量と反射量との比（吸収量／反射量）は導体のインピ−ダンスによって変わり、インピ−ダンスがほぼ０であればその比もほぼ０となる。またこの吸収や反射は直接導体の表面に入射する電波に対してだけでなく、その導体周囲の電波に対しても起こる（但し、導体から離れれば離れる程、吸収や反射量は少なくなる）。導体と電波の相互作用（吸収、反射）は導体と電波が共鳴する場合に大きくなる。
【００３９】
金属板上に開口部を設けた場合には同じ大きさの金属棒と双対関係にあることが知られている。ただし、２分の１波長の長さを持つ直線型金属棒の場合には電界と平行においた場合に最も共鳴が大きくなるが、同じ大きさの開口部では、磁界に平行においた場合に最も共鳴が大きくなる。このように開口部を設けた金属板を電波が到来している場所においた場合、大部分の電波は金属板により反射され、一部の電波は開口部において共鳴、再放射されることにより透過することとなる。
【００４０】
即ち図８〜１０のように開放端を持つ線状形状の電磁波透過開口部４を配列した面では、双対関係にある導体の開放端間の距離が電波波長の２分の１の場合に最も共鳴し、再放射により透過する。言い換えると、この長さの電磁波透過開口部４と共鳴しない波長（周波数）の電波にとってはこの面は一様な導電体面と同等となりその大部分が反射する。共鳴する電波の波長は、図８のような直線形状の場合にはその長さが電波波長の２分の１になり、図４や図５のように枝分かれを持つ形状では中心点から開放端までの距離が電波波長の４分の１となる。
【００４１】
また図１１〜１３のような環状の電磁波透過開口部４を配した場合には、双対関係にある環状導体の周囲長が電波波長とほぼ等しい場合に共鳴し、この配列面が特定周波数の電波に対する電磁波透過開口部となる。
【００４２】
さらに、二種以上の電磁波透過開口部を組み合わせることにより複数の周波数について電波を透過することが可能となる。
【００４３】
このような電磁波透過開口部に抵抗体を設置させた場合、共振条件における開口部周囲に発生する電流をこの抵抗体が熱に変換することにより外部に放出するため電磁波の反射を押さえることが可能となる。抵抗体については開放末端を持つ形状の場合には電界密度が最も高くなる中央部に設置することが好ましいが、吸収性能が確保されるのであれば大きさ、位置については特に問題がない。
【００４４】
本発明の電波吸収体は、以上に述べたような導電体上に設けた電磁波透過開口部の持つ性質および抵抗体の性質を利用したもので、透過しようとする周波数の電波（但し、その波長はアンテナパターンを形成した基材の誘電率、厚み、さらには吸収体を設置する壁等の建材の構成材の誘電率、厚み等を考慮し算出した波長）と共鳴するような長さの電磁波透過開口部を配列し、そこに抵抗体を設置することにより電波吸収体を構成するものである。
【００４５】
また本発明の電波吸収能を有する建材は、以上に述べたような導電体上に設けた電磁波透過開口部の持つ性質および抵抗体の性質を利用したもので、透過しようとする周波数の電波（但し、その波長はアンテナパターンを形成した基材の誘電率、厚み、さらには吸収体を設置する壁等の建材の構成材の誘電率、厚み等を考慮し算出した波長）と共鳴するような長さの電磁波透過開口部を配列し、そこに抵抗体を設置するまたは壁等の建材の構成材に電磁波損失材を混入することにより電波吸収能を有する建材を構成するものである。
【００４６】
このような電波吸収体又は電波吸収能を有する建材の吸収性能は、実際にはあるインピ−ダンスを持つ導電体中を流れる交番電流の大きさと、抵抗体の抵抗値および開口部の端部と抵抗体の接触面積（誘電体基板を介してコンデンサを形成する場合はコンデンサの電極面積）によって決まるため、電磁波透過開口部の線幅は大きい程、個々の電磁波透過開口部間の間隔は小さい程、開口部の端部と抵抗体の接触面積（或いは電極面積）は大きいほど良くなる。しかし同時に、透過しようとする周波数の電波以外の（周波数が赤外光以上のものを含む）電磁波の導電体表面における反射も小さくなるため周波数選択性が悪くなる。そこで実用上は、吸収しようとする周波数の電波に対する透過性能と周波数選択性を考慮して、電磁波透過開口部の線幅、個々の電磁波透過開口部の間隔、抵抗体の抵抗値及び接触面積（或いは電極面積）が決定される。
【００４７】
また、電波吸収能を有する建材で、抵抗体を用いない場合においても、電波が透過する壁等の建材の構成材本体に電磁波損失材を混入させることにより透過してきた特定周波数の電磁波を吸収させることも可能である。
【００４８】
上記の説明から、わかるように、壁等の建材の構成材に、電波吸収体や特定電波透過体を直接設けても良いし、それらを基材上に構成した後に、壁等の建材の構成材に設けても良い。
【００４９】
さらに、壁等の建材の構成材に混入する電磁波損失材についても電波進行方向に対しては均一でも濃度変化があっても良い。
【００５０】
ここでは図８〜１３まで、６種類の電磁波透過開口部４を図示したが、電磁波透過開口部の形状がこれらに限定されるものでないことは、前記の説明で明らかである。
【００５１】
導電体としては金属、導電性酸化物、導電性窒化物、導電性炭化物等があげられるがこれに限定するものではない。
【００５２】
抵抗体としては金属、導電性酸化物、導電性窒化物、導電性炭化物、カーボン等があげられるがこれに限定するものではない。
【００５３】
導電体層の厚みとしては１０Åから１０ｍｍであり、フィルム形状とする場合には好ましくは５０Åから５０μｍ、さらに好ましくは１μｍから１５μｍである。
【００５４】
基材上に導電体層を設ける場合の基材としては樹脂フィルム、樹脂板、木板、セラミック板、ガラス板等が上げられるが、その材質はこれらに限定するものではなく、気孔率も制限されない。
【００５５】
壁等の建材の構成材としては石膏、セメント、木、樹脂、セラミック、ガラス等があげられるがこれに限定するものではない。
【００５６】
上記の条件より、透明な導電体（ＩＴＯ等）に電磁波透過開口部を形成し、壁等の建材の構成材も透明な部材（ガラス等）により構成した透明な電波吸収能を有する壁等の建材も本発明に含まれるものとする。
【００５７】
【実施例】
以下、本発明の実施例を具体的に説明する。
【００５８】
以下の実施例１〜４及び比較例１と２について、１０ＧＨｚにおいて電波を吸収、シールドする性能を表１に示す。測定は自由空間において行い、透過減衰量測定は透過損失法、反射減衰量測定は反射電力法を用いて行った。測定範囲は２ＧＨｚから１８ＧＨｚの範囲で行いネットワークアナライザー（ヒューレッドパッカード社製ＨＰ８７２２Ｃ）のＳ２１モードにおいて測定した。
【００５９】
（実施例１）
厚さ１００μｍのＰＥＴフィルム上に１５μｍのアルミ箔を貼り合わせたフィルムに７．５ｍｍ×０．６ｍｍの電磁波透過開口部を設け、電波開口部の端部にＩＴＯからなる抵抗体を張り合わせることにより電波吸収体を作製した。
【００６０】
（実施例２）
厚さ２ｍｍのアルミ板に４．８ｍｍ×０．６ｍｍの電磁波透過開口部を設け、電波開口部の端部にＩＴＯからなる抵抗体を張り合わせた電波吸収体を、厚さ２０ｍｍの石膏板上に設けた電波吸収能を有する壁を作製した。
【００６１】
（実施例３）
厚さ２ｍｍのアルミ板に３．０ｍｍ×０．６ｍｍの電磁波透過開口部を設け、電波開口部の端部にＩＴＯからなる抵抗体を張り合わせた電波吸収体を、厚さ２０ｍｍの石膏とカーボンを混合して作成した板上に設けた電波吸収能を有する壁を作製した。
【００６２】
（実施例４）
厚さ２ｍｍのアルミ板に３．０ｍｍ×０．６ｍｍの電磁波透過開口部を設けた特定電波透過体を、厚さ２０ｍｍの石膏とカーボンを混合して作成した板上に設けた電波吸収能を有する壁を作製した。
【００６３】
（比較例１）
厚さ１００μｍのＰＥＴフィルム上に１５μｍのアルミ箔を貼り合わせたフィルムにより電磁波シールド性を有するフィルムを作製した。
【００６４】
（比較例２）
厚さ１００μｍのＰＥＴフィルム上に１５μｍのアルミ箔を貼り合わせたフィルムに７．５ｍｍ×０．６ｍｍの電磁波透過開口部を設け、電磁波シールド性を有するフィルムを作製した。
【００６５】
【表１】
2004119565.tif 000003
【００６６】
比較例１では測定範囲全体において高いシールド性能を示し、すべての周波数を反射してしまい、比較例２においては１８ＧＨｚ付近においては高いシールド性能を示したが反射量の低下は確認されず、１０ＧＨｚにおいては反射量の低下が確認されたが、シールド性能が大幅に低下してしまっていた。この結果から、比較例２では１０ＧＨｚにおいて透過する電磁波が増加したために反射量が減少したと考えられる。これに対して、実施例１〜４では、測定範囲全体において高いシールド性能を示し、かつ目的周波数である１０ＧＨｚ付近においては、反射料の低下が確認されたにもかかわらずシールド性能の低下はほとんど確認されず、高い電波吸収能が確認された。
【００６７】
【発明の効果】
以上の詳述したように、本発明によれば導電体面上に電磁波透過開口部を周期的に配列させ、そこに抵抗体を設けていることから、特定周波数の電磁波のみを吸収、遮蔽し、他の周波数の電波は遮蔽する電波吸収体及び電波吸収能を有する建材を得ることが出来る。
【００６８】
さらに導電体、抵抗体ともにひるむ形状とすればフレキシビリティーに富み、薄型の電波吸収体を得ることが出来る。
【図面の簡単な説明】
【図１】本発明に係わる周波数選択性を持つ電波吸収体の実施の１形態を示す図である。
【図２】本発明に係わる周波数選択性を持つ電波吸収体の実施の１形態を示す図である。
【図３】本発明に係わる周波数選択性を持つ電波吸収体の実施の１形態を示す図である。
【図４】本発明に係わる周波数選択性を持つ電波吸収能を有する壁の実施の１形態を示す図である。
【図５】本発明に係わる周波数選択性を持つ電波吸収体能を有する壁の実施の１形態を示す図である。
【図６】本発明に係わる周波数選択性を持つ電波吸収体能を有する壁の実施の１形態を示す図である。
【図７】本発明に係わる周波数選択性を持つ電波吸収体能を有する壁の実施の１形態を示す図である。
【図８】本発明に係わる周波数選択性を持つ電波吸収体又は電波吸収体能を有する建材の電波反射面（開口素子配列面）を示す図である。
【図９】本発明に係わる周波数選択性を持つ電波吸収体又は電波吸収体能を有する建材の電波反射面（開口素子配列面）を示す図である。
【図１０】本発明に係わる周波数選択性を持つ電波吸収体又は電波吸収体能を有する建材の電波反射面（開口素子配列面）を示す図である。
【図１１】本発明に係わる周波数選択性を持つ電波吸収体又は電波吸収体能を有する建材の電波反射面（開口素子配列面）を示す図である。
【図１２】本発明に係わる周波数選択性を持つ電波吸収体又は電波吸収体能を有する建材の電波反射面（開口素子配列面）を示す図である。
【図１３】本発明に係わる周波数選択性を持つ電波吸収体又は電波吸収体能を有する建材の電波反射面（開口素子配列面）を示す図である。
【符号の説明】
１…電波吸収体
２…導電体層
３…抵抗体
４…開口部
５…誘電体基材
６…特定電波透過体
７…壁構成材
８…基材
９…壁構成材（電磁波損失材を混入させたもの）
【図１】
2004119565.tif 000004
【図２】
2004119565.tif 000005
【図３】
2004119565.tif 000006
【図４】
2004119565.tif 000007
【図５】
2004119565.tif 000008
【図６】
2004119565.tif 000009
【図７】
2004119565.tif 000010
【図８】
2004119565.tif 000011
【図９】
2004119565.tif 000012
【図１０】
2004119565.tif 000013
【図１１】
2004119565.tif 000014
【図１２】
2004119565.tif 000015
【図１３】
2004119565.tif 000016